(57)【特許請求の範囲】
【請求項１】
かごをワイヤで吊り下げて昇降させるエレベータにおいて、エレベータ昇降路内にかごを取り付けたかごプラットホームを昇降自在に配置し、かごプラットホームは、縦枠体と下横枠体とからなるＬ字状をしており、下横枠体にかごが載設されていると共に、かご天井とかごプラットホームの縦枠体の上端部とが枠状をした連結部材を介して連結されており、枠状をした連結部材の内側に上方に制御盤が配置された照明装置が取付金具を介してかご天井に取り付けられており、上記かごの出入用ドアとエレベータホールの各階出入用ドアとの距離を調整するためのかご調整手段を備えており、このかご調整手段は、照明装置の取付金具と連結部材とが調整具を介して連結され、上記連結部材は、前枠と後枠と左右一対の連結片とが平面視矩形状に形成され、前枠と後枠の各一端部がかごプラットホームの縦枠体の上端部に固着され、左右の連結片がかご天井に固定されており、かご天井の左右方向に延びた取付金具がかご天井の上面側に固定されており、調整具は、取付金具と連結部材の相対位置を前後方向に向かって変化させることを特徴とするエレベータの制御盤の取り付け構造。
【請求項２】
かご天井に換気口が設けられ、換気口の上方に換気扇が収納される換気通路が設けられ、換気通路の壁面を制御盤の取付金具の一部とこれに対向して配置されるカバー部材とで形成したことを特徴とする請求項１記載のエレベータの制御盤の取り付け構造。
【請求項３】
かご天井の外周に沿わせて安全柵を設置すると共に、かごの出入用ドアを開閉するドア開閉装置ユニットをかご天井に設置し、安全柵の一部をドア開閉装置ユニットにて構成したことを特徴とする請求項１記載のエレベータの制御盤の取り付け構造。
【発明の詳細な説明】
【０００１】
【発明の属する技術分野】
本発明は、かごをワイヤで吊り下げて昇降させるエレベータの制御盤の取り付け構造に関するものである。
【０００２】
【従来の技術】
従来、エレベータを動作させるための制御盤は、エレベータのかごの天井に取り付けられるものと、かご以外の場所に取り付けられるものとがある。エレベータのかご以外に取り付けられるものでは、制御盤を設置するための場所を別に確保しなければならず、しかも外観において見苦しくなるという問題がある。一方、かご天井に設置する場合は、かかる問題はない。
【０００３】
【発明が解決しようとする課題】
ところが、かご天井には、通常、照明装置の一部がかご天井の上面に突出している場合が多く、そのため、照明装置と制御盤とをかご天井に設置した場合には、照明装置と制御盤の設置スペースが横に大きく広がり、作業者がかご天井の上に乗って、部品のメンテナンスや修理を行う場合にあっては、作業スペースが十分に確保できなかった。特に３〜４人乗りといった狭い天井スペースにあっては足の踏み場がなくなり、作業の妨げとなるという問題があった。また、かご上で点検等を行う作業者の安全対策も必要となる。
【０００４】
本発明は、上記の従来例の問題点に鑑みて発明したものであって、その目的とするところは、制御盤をかご天井に設置したにもかからわず、作業者がかご天井の上で部品のメンテナンスや修理を行う際の作業スペースを確保でき、かご天井の限られたスペースの有効利用を図ることができると共に、部品点数の削減、及び省施工化を図ることができ、さらに制御盤の取付金具を利用してかごのスライド調整を行ったり、換気通路を形成できるようにしたエレベータの制御盤の取り付け構造を提供するにある。
【０００５】
【課題を解決するための手段】
上記課題を解決するために本発明に係るエレベータの制御盤の取り付け構造にあっては、かご１をワイヤ２で吊り下げて昇降させるエレベータにおいて、エレベータ昇降路９内にかご１を取り付けたかごプラットホーム１１を昇降自在に配置し、かごプラットホーム１１は、縦枠体１１ａと下横枠体１１ｂとからなるＬ字状をしており、下横枠体１１ｂにかご１が載設されていると共に、かご天井１ａとかごプラットホーム１１の縦枠体１１ａの上端部とが枠状をした連結部材１２を介して連結されており、枠状をした連結部材１２の内側に上方に制御盤８が配置された照明装置６が取付金具１３を介してかご天井１ａに取り付けられており、上記かご１の出入用ドア１４とエレベータホールの各階出入用ドア１５との距離を調整するためのかご調整手段１６を備えており、このかご調整手段１６は、照明装置６の取付金具１３と連結部材１２とが調整具１７を介して連結され、上記連結部材１２は、前枠１２ａと後枠１２ｂと左右一対の連結片１２ｃとが平面視矩形状に形成され、前枠１２ａと後枠１２ｂの各一端部がかごプラットホーム１１の縦枠体１１ａの上端部に固着され、左右の連結片１２ｃがかご天井１ａに固定されており、かご天井１ａの左右方向Ｃに延びた取付金具１３がかご天井１ａの上面側に固定されており、調整具１７は、取付金具１３と連結部材１２の相対位置を前後方向Ｂに向かって変化させることを特徴としており、このように構成することで、連結部材１２を枠状に形成することで、連結部材１２自体の強度が向上して、連結部材１２によるかご振れ止め効果を向上させることができ、さらに枠状をした連結部材１２の内側に制御盤８を配置することで、枠状をした強度の高い連結部材１２を、制御盤８の保護材として有効利用できるようになる。また調整具１７は、取付金具１３と連結部材１２の相対位置を前後方向Ｂに向かって変化させるので、調整具１７の調整によって、かご天井１ａの前後方向Ｂの位置を所望の位置に楽にスライドさせることが可能となる。
【０００６】
また上記かご天井１ａに換気口１８が設けられ、換気口１８の上方に換気扇２０が収納される換気通路２１が設けられ、換気通路２１の壁面を制御盤８の取付金具１３の一部とこれに対向して配置されるカバー部材２２とで形成したことを特徴とするのが好ましく、この場合、取付金具１３を換気通路２１の壁面の一部として利用でき、換気通路２１の壁面の構成部品の数を削減できるようになる。
【０００７】
【発明の実施の形態】
以下、本発明を添付図面に示す実施形態に基づいて説明する。
【０００８】
本実施形態の建物内には、図１１〜図１４に示すように、上下階にわたって連続するエレベータ昇降路９が形成してある。本例においては、エレベータ昇降路９内の上部に軸受け部材４や、モータ装置５からなる駆動装置３０を配設した取付け基台３が配設してある。モータ装置５の回転軸（図示せず）は軸受け部材４にて軸支されている。回転軸には、かご１１を吊り下げるためのワイヤ２を掛け回すためのシーブ２３が取り付けられるものであり、シーブ２３は一対の軸受け部材４間に配設されている。
【０００９】
エレベータ昇降路９内には、図１０に示すように、左右一対のかご用昇降レール７が立設され、このかご用昇降レール７に沿ってかごプラットホーム１１が昇降自在に配置されている。
【００１０】
かごプラットホーム１１は、図３（ｂ）に示すように、縦枠体１１ａと下横枠体１１ｂとからなるＬ字状をしており、下横枠体１１ｂにかご１が載設されている。縦枠体１１ａには、図１４に示すように、ガイドローラ３７と振れ止めガイド３７ａとが設けられ、かご用昇降レール７にガイドローラ３７が転動自在となっていると共に、振れ止めガイド３７ａにて振れ止めしてある。
【００１１】
かごプラットホーム１１の縦枠体１１ａには、駆動装置３０のシーブ２３に掛け回されたワイヤ２の一端部が固着され、ワイヤ２の他端部は、つり合い重り３２に固着されている。つり合い重り３２に設けた昇降ガイド部材３８が、かご用昇降レール７と平行に配置されたつり合い重りガイドレール１０に沿って昇降自在となっている。なお図１４中の１９は、かご１の昇降速度が予め設定された速度を外れるとこれを検知してかご１の昇降を停止するためのガバナと称される調速機のロープであり、１９ａは調速機のロープ１９とかごプラットホーム１１とを連結するアームである。
【００１２】
上記かご天井１ａの上面には、図１、図２に示すように、かご天井１ａの前後方向Ｂに延びた第１のハット形固定金具２６がかご天井１ａの左右両側にそれぞれ配置され、かご天井１ａの左右方向Ｃに延びた第２のハット形固定金具２７がかご天井１ａの前後両側にそれぞれ配置されている。図１、図２に示す例では、第１のハット形固定金具２６の上面と第２のハット形固定金具２７の上面とが面一となるように両固定金具２６，２７を平面視井桁状に配置した状態で、両固定金具２６，２７がかご天井１ａの上面に対して各々固着されている。
【００１３】
上記かご天井１ａは、連結部材１２を介して、かごプラットホーム１１の縦枠体１１ａに連結されている。
【００１４】
連結部材１２は、図５、図６に示すように、前枠１２ａと後枠１２ｂと左右一対の連結片１２ｃとが平面視矩形状に一体形成されていると共に、前枠１２ａと後枠１２ｂの各一端部をかごプラットホーム１１側にそれぞれ延出させてあり、その延出部分の先端部間を上記連結片１２ｃと平行な固定片１２ｄを介して連結してある。
【００１５】
ここで、上記固定片１２ｄは断面Ｌ字状をしており、図３に示すように、その垂直部分をかごプラットホーム１１の縦枠体１１ａの上端部の側面に沿わせてボルト等で固着されている。これにより連結部材１２はかごプラットホーム１１と一体に昇降できるようになっている。
【００１６】
連結部材１２の前枠１２ａ、後枠１２ｂ及び左右の連結片１２ｃは、かご天井１ａに固定されている第１のハット形固定金具２６及び第２のハット形固定金具２７の上面に各々配置される。ここで、前枠１２ａと後枠１２ｂは、それぞれ断面逆Ｌ字状をしており、図２に示すように、前後一対の第２のハット形固定金具２７，２７と平行に且つ第２のハット形固定金具２７，２７よりも内側に寄せて配置してある。
【００１７】
連結部材１２の左右の連結片１２ｃは図５、図６に示すように、断面Ｌ字状をしており、その水平部分の前後２箇所には、かご天井１ａの前後方向Ｂに長くなった長孔５０がそれぞれ形成されており、一方、第１のハット形固定金具２６の上面には、図８（ａ）に示すように、上記長孔５０と対向する位置にボルト孔５０ａが形成され、その下方にはナット３１が溶接等で固着されている。そして、図８（ｂ）、（ｃ）に示すように、ボルト３２を長孔５０からボルト孔５０ａを通してナット３１に締め込むことによって、連結片１２ｃを第１のハット形固定金具２６に固定できるようにしている。
【００１８】
このように連結部材１２の左右の連結片１２ｃを第１のハット形固定金具２６を介してかご天井１ａに固定することにより、かごプラットホーム１１の縦枠体１１ａとかご１のかご天井１ａとが連結部材１２を介して互いに連結された状態となり、これにより、エレベータ昇降路９内でワイヤ２で吊り下げられているかご１を、連結部材１２を介して、か
ご用昇降レール７に沿って昇降するかごプラットホーム１１にて支持することができ、かごプラットホーム１１によるかご１の振れ止め効果が得られるようになる。
【００１９】
上記かご天井１ａには、図２に示すように、かご天井１ａの前後両側に配置される一対の取付金具１３を介して、照明装置６及び制御盤８がそれぞれ取り付けられている。各取付金具１３は、かご天井１ａの左右方向Ｃに延びており、かご天井１ａに固定されている第２のハット形固定金具２７の上面に沿わせてそれぞれ配置されている。各取付金具１３は、図４に示すように、下横片１３ｂと縦片１３ａと上横片１３ｃとで断面コ字状に形成されており、その下横片１３ｂが第２のハット形固定金具２７の上面に対してボルト３５とナット３６とを用いて固着されている。取付金具１３は、後述のように照明装置６を支持する機能と、照明装置６の上方位置において制御盤８を支持する機能とを有していると共に、かご調整手段１６としての機能、さらには換気通路２１の壁面の一部としての機能をも併有している。
【００２０】
上記照明装置６はその上部がかご天井１ａの上面側に突出するようにして配置されている。本例では、枠状をした連結部材１２の内側に照明装置６が配置されており、枠状をした強度の高い連結部材１２にて保護されるようになっている。照明装置６は、照明取付け台４０に吊り下げられており、図２、図４に示すように、照明取付け台４０の一端部が、前側の取付金具１３の縦片１３ａに固着され、照明取付け台４０の他端部が、後側の取付金具１３の縦片１３ａに固着されている。これにより、照明装置６は取付金具１３を介してかご天井１ａ側に固定されている。
【００２１】
照明装置６の上方には、エレベータの動作を制御するための制御盤８が配置されている。図２の例では、制御盤８を取り付ける制御盤取付け台４１を照明装置６の上方に配置した状態で、制御盤取付け台４１の一端部が、前側の取付金具１３の上横片１３ｃ（図４）に固着され、制御盤取付け台４１の他端部が、後側の取付金具１３の上横片１３ｃに固着されている。これにより、制御盤８は、照明装置６の上方に配置された状態で第１の取付金具１３を介してかご天井１ａ側に固定されている。
【００２２】
しかして、制御盤８と照明装置６とが上下方向Ａに配列されることで、制御盤８が横方向に大きく広がることがなく、その分だけ横方向の配置スペースを狭めることができる。従って、３〜４人乗りという狭い天井スペースでも作業がしやすくなって作業スペースを確保でき、かご天井１ａの限られたスペースの有効利用を図ることができる。
【００２３】
しかも、制御盤８の取付金具１３を断面コ字状に形成することで、取付金具１３自体の強度が向上し、制御盤８の支持強度が向上する。さらに、連結部材１２を枠状に形成することで、かご振れ止め用の連結部材１２自体の強度が向上し、かごプラットホーム１１とかご１との連結強度を向上させることができ、ひいてはかご振れ止め効果を向上させることができる。そのうえ、この枠状の連結部材１２の内側に照明装置６を配置しているので、かご振れ止め用となる連結部材１２を、照明装置６の保護材として有効利用できる。そのうえ制御盤８を取り付ける取付金具１３を利用して、照明装置６を支持できるようになっているので、照明装置６を支持するための専用の部材が不要となり、これにより部品点数の削減、省施工化を図ることができる。
【００２４】
また本例では、かご１の出入用ドア１４とエレベータホールの各階出入用ドア１５との距離を調整するためのかご調整手段１６が設けられている。このかご調整手段１６は、図７に示すように、前記かご天井１ａに固定された取付金具１３の縦片１３ａと、かごプラットホーム１１に連結された連結部材１２の前枠１２ａと、これらを連結する調整具１７とを備えており、調整具１７は、取付金具１３の縦片１３ａと連結部材１２の前枠１２ａとを連結するボルト部１７ｂと、ボルト部１７ｂに螺合しているナット部１７ａとで構成される。最初に、連結部材１２の連結片１２ｃと第１のハット形固定金具２６とを固定しているボルト３２（図８（ｂ））を緩めて、かご１をスライド可能な状態とし、その後、調整具１７のナット部１７ａ（図７）を回転操作することで、ボルト３２が挿入されている長孔５０（図８（ｂ））の範囲内で前後方向Ｂに向かって、制御盤８の取付金具１３と連結部材１２との相対位置が変化させることができ、これにより、かご１が前後方向Ｂにスライド可能となり、例えば、かご１の出入用ドア１４とエレベータホールの各階出入用
ドア１５との距離Ｌ（図１）の調整が可能となる。
【００２５】
なお、かご１を左右方向Ｃに調整する方法としては、図３に示すかご１の一側方に配置されているかごプラットホーム１１の縦枠体１１ａの上端部の側面と、かご天井１ａに連結される連結部材１２の固定片１２ｄとの間にスペーサ（図示せず）を介在させ、スペーサの厚みに応じて、かごプラットホーム１１とかご１との相対位置を変化させるようにしてもよい。
【００２６】
さらに、上記かご天井１ａには、図９に示すように、換気口１８が設けられており、換気口１８の上方には換気扇２０が収納される換気通路２１が設けられている。換気通路２１の壁面は、後側の取付金具１３の縦片１３ａと、これに対向して配置される断面略Ｚ字形をしたカバー部材２２とで形成されている。このように取付金具１３を換気通路２１の壁面の一部として利用することで、換気通路２１の壁面の構成部品の数を削減でき、換気通路２１の構造の簡素化、部材の合理化が図られるという利点がある。
【００２７】
本発明の他の実施形態を図１５〜図１８に示す。本例では、図１５、図１６に示すように、かご天井１ａの外周に沿わせて安全柵６１を設置すると共に、かご１の出入用ドア１４を開閉するドア開閉装置ユニット６０をかご天井１ａに設置し、安全柵６１の一部をドア開閉装置ユニット６０にて構成した場合を示している。他の基本構成は、図１の実施形態と同様であり、異なる点だけを説明する。
【００２８】
ドア開閉装置ユニット６０は、かご天井１ａの出入用ドア１４側の一辺に沿って設置されている。本例のドア開閉装置ユニット６０は、図１７に示すように、出入用ドア１４の上方に横フレーム６５を取り付け、この横フレーム６５の軸支部６８に設けた上下一対のころ６６，６７を、ドア開閉装置ユニット６０内の上レール６９の上下両側に沿って走行自在に支持してあり、駆動モータ（図示せず）によって出入用ドア１４が開閉されるようになっている。なお、ドア開閉装置ユニット６０は図１７の構造には限定されず、出入用ドア１４の開閉機構を内蔵しているものであればよい。
【００２９】
一方、かご天井１ａに設置される安全柵６１は、かご１上で点検等を行う作業者の安全を確保するためのものであり、図１８に示すように、かご天井１ａの四辺の上方に沿って横架される４本の柵部６１ａ〜６１ｄにて構成されている。本例では、出入用ドア１４側に沿って配置されるドア開閉装置ユニット６０が柵部６１ａを兼ねた構造となっている。
【００３０】
かご天井１ａの四隅には、柵取付金具７０〜７３がそれぞれ固定されている。４つの柵取付金具７０〜７３のうち出入用ドア１４側の２つの柵取付金具７０，７１は、上記柵部６１ａを構成するドア開閉装置ユニット６０の長手方向の両端部にそれぞれ一体に設けられている。この出入用ドア１４側の２つの柵取付金具７０，７１は、かご天井１ａにボルトにて固定されるボルト孔７８を有する底板部７４と、底板部７４の外周の２辺から立設された平面視Ｌ字状をした立上り部７５とからなり、立上り部７５の一片７５ａがドア開閉装置ユニット６０の側面に固着され、立上り部７５の他片７５ｂにより、上記出入用ドア１４側の一辺と直交する辺に沿って設置される柵部６１ｂ，６１ｃの一端部が支持されるようになっている。
【００３１】
また、上記出入用ドア１４側とは反対側に配置される２つの柵取付金具７２，７３は、ドア開閉装置ユニット６０とは別体とされ、かご天井１ａにボルトにて固定されるボルト孔７８を有する底板部７６と、底板部７６の外縁部から立設された平面視Ｌ字状をした立上り部７７とからなり、立上り部７７の一片７７ａにより上記柵部６１ｂ，６１ｃの他端部が支持され、立上り部７７の他片７７ｂにより上記出入用ドア１４側とは反対側の辺に沿って設置される柵部６１ｄの端部が支持されるようになっている。
【００３２】
しかして、かご１上で点検等を行う作業者の安全を安全柵６１によって確保できると共に、ドア開閉装置ユニット６０の一部を安全柵６１として利用しているので、簡単な構造で、安全柵６１を設置できるようになり、従って、安全柵６１の取り付け作業の手間を省いて省施工化を図ることができ、さらに安全柵６１の部品点数を削減できるようになる。
【００３３】
また、出入用ドア１４側の柵取付金具７０，７１をボルトでかご天井１ａに固定することで、これら柵取付金具７０，７１を介して安全柵６１の支持とドア開閉装置ユニット６０の固定とが行えるようになり、一層の省施工化を実現できる。さらに、図１７に示すように、ドア開閉装置ユニット６０の側面の上半部に柵取付金具７０を一体に設け、ドア開閉装置ユニット６０の側面の下半部をかごの前面垂下部１ｃにて支持してあるので、かご天井１ａに対するドア開閉装置ユニット６０の取り付けの安定性を高めることができるものである。
【００３４】
【発明の効果】
上述のように請求項１記載の発明にあっては、かごをワイヤで吊り下げて昇降させるエレベータにおいて、エレベータ昇降路内にかごを取り付けたかごプラットホームを昇降自在に配置し、かごプラットホームは、縦枠体と下横枠体とからなるＬ字状をしており、下横枠体にかごが載設されていると共に、かご天井とかごプラットホームの縦枠体の上端部とが枠状をした連結部材を介して連結されており、枠状をした連結部材の内側に上方に制御盤が配置された照明装置が取付金具を介してかご天井に取り付けられており、上記かごの出入用ドアとエレベータホールの各階出入用ドアとの距離を調整するためのかご調整手段を備えており、このかご調整手段は、照明装置の取付金具と連結部材とが調整具を介して連結され、上記連結部材は、前枠と後枠と左右一対の連結片とが平面視矩形状に形成され、前枠と後枠の各一端部がかごプラットホームの縦枠体の上端部に固着され、左右の連結片がかご天井に固定されており、かご天井の左右方向に延びた取付金具がかご天井の上面側に固定されており、調整具は、取付金具と連結部材の相対位置を前後方向に向かって変化させるので、連結部材を枠状に形成することで、連結部材自体の強度が向上して、連結部材によるかご振れ止め効果を向上させることができ、さらに枠状をした連結部材の内側に制御盤を配置することで、枠状をした強度の高い連結部材を、制御盤の保護材として有効利用できるようになる。また、制御盤を保護するための専用の部材が不要となるため、部品点数の削減、省施工化を図ることができる。また調整具は、取付金具と連結部材の相対位置を前後方向に向かって変化させるので、調整具の調整によって、かご天井の前後方向の位置を所望の位置に楽にスライドさせることが可能となる。
【００３５】
また請求項２記載の発明は、請求項１記載の効果に加えて、かご天井に換気口が設けられ、換気口の上方に換気扇が収納される換気通路が設けられ、換気通路の壁面を制御盤の取付金具の一部とこれに対向して配置されるカバー部材とで形成したので、取付金具を換気通路の壁面の一部として利用でき、換気通路の壁面の構成部品の数を削減できるようになり、換気通路の構造の簡素化、部材の合理化が図られる。
【００３６】
また請求項３記載の発明は、請求項１記載の効果に加えて、かご天井の外周に沿わせて安全柵を設置すると共に、かごの出入用ドアを開閉するドア開閉装置ユニットをかご天井に設置し、安全柵の一部をドア開閉装置ユニットにて構成したので、ドア開閉装置ユニットの一部を安全柵として利用することができ、簡単な構造で、かご上で点検等を行う作業者の安全を確保するための安全柵を設置できるようになり、従って、安全柵の取り付け作業の手間を省いて省施工化を図ることができると共に、部品点数の削減を図ることができるものである。
【図面の簡単な説明】
【図１】  本発明の実施形態の一例を示す平面図である。
【図２】  同上の側面図である。
【図３】  （ａ）は同上の連結部材とかごプラットホームの連結状態の説明図、（ｂ）はかごプラットホームにかごを載設した状態の概略側面図である。
【図４】  同上の取付金具による制御盤の取付け台と照明取付け台の取り付け状態を説明する側面図である。
【図５】  同上の連結部材を示し、（ａ）は平面図、（ｂ）は正面図、（ｃ）は側面図、（ｄ）は背面図である。
【図６】  同上の図５（ａ）のＥ−Ｅ線断面図である。
【図７】  同上のかご調整手段の説明図である。
【図８】  同上の連結部材をハット形固定金具に取り付ける状態を示し、（ａ）は側面断面図、（ｂ）はボルトをナットに締め込んだ状態の正面断面図、（ｃ）は（ｂ）のＦ−Ｆ線断面図である。
【図９】  同上の換気通路を説明する断面図である。
【図１０】  同上のエレベータの基本構造を説明する概略斜視図である。
【図１１】  同上の概略正面図である。
【図１２】  同上の概略側面図である。
【図１３】  同上のかご用昇降レールの配置を示す概略側面図である。
【図１４】  同上の概略平面図である。
【図１５】  本発明の他の実施形態の概略側面図である。
【図１６】  同上の安全柵を示す側面図である。
【図１７】  同上のドア開閉装置に柵取付金具を一体に設けた場合を説明する断面図である。
【図１８】  同上の安全柵を説明する平面図である。
【符号の説明】
１  かご
１ａ  かご天井
２  ワイヤ
６  照明装置
７  制御盤
９  エレベータ昇降路
１１  かごプラットホーム
１１ａ  縦枠体
１１ｂ  下横枠体
１２  連結部材
１３  取付金具
１４  出入用ドア
１５  各階出入用ドア
１６  かご調整手段
１７  調整具
１８  換気口
２０  換気扇
２１  換気通路
２２  カバー部材
６０  ドア開閉装置
６１  安全柵
Ａ  上下方向
【図１】
0003705140.tif 000002
【図２】
0003705140.tif 000003
【図３】
0003705140.tif 000004
【図４】
0003705140.tif 000005
【図５】
0003705140.tif 000006
【図６】
0003705140.tif 000007
【図７】
0003705140.tif 000008
【図８】
0003705140.tif 000009
【図９】
0003705140.tif 000010
【図１０】
0003705140.tif 000011
【図１１】
0003705140.tif 000012
【図１２】
0003705140.tif 000013
【図１３】
0003705140.tif 000014
【図１４】
0003705140.tif 000015
【図１５】
0003705140.tif 000016
【図１６】
0003705140.tif 000017
【図１７】
0003705140.tif 000018
【図１８】
0003705140.tif 000019